(57)【要約】      （修正有）【課題】高所での作業時に蓋板の開閉操作を行うことなく容易に電線に装着でき、電線への設置作業を簡略化できる鳥害防止器具を提供する。【解決手段】電柱間に架設された電線の上側に線条体を離隔した状態で保持するようにした鳥害防止器具である。電線に固定支持する略Ｃ型枠からなる枠本体１と、この枠本体１の開口部を閉止可能な蓋板４と、枠本体１の上壁２から上方に起立突出させた線条体係合部３と、枠本体１の底壁５を螺合貫通しているねじ体６の先端に装着され、枠本体１の内部を昇降移動する押し板７とで構成した電線固定機構Ｃとを有している。枠本体１の上端部に揺動可能に枢支した蓋板４の上部側端に枠本体１の奥部に向かって延びるアーム部９を突設するとともに、枠本体１に形成した枢支部１０の外周面に蓋板４の上端面と当接する係止突部１１が形成してある。【選択図】図３
2020080800.tif 000002
【特許請求の範囲】
【請求項１】
電柱(Ｐ)間に架設された電線(Ｗ)の上側に線条体(Ｌ)を離隔した状態で保持するようにした鳥害防止器具であって、
電線(Ｗ)に固定支持する略Ｃ型枠からなる枠本体(１)と、この枠本体(１)の開口部を閉止可能な蓋板(４)と、枠本体(１)の上壁(２)から上方に起立突出させた線条体係合部(３)と、枠本体(１)の底壁(５)を螺合貫通しているねじ体(６)の先端に装着され、枠本体(１)の内部を昇降移動可能で、枠本体(１)の上壁(２)内面との間に電線(Ｗ)を挟持して枠本体(１)を電線(Ｗ)に保持する押し板(７)とで構成した電線固定機構(Ｃ)を有しており、枠本体(１)の上壁開口端部に揺動可能に枢支した蓋板(４)の上端部に枠本体(１)の奥部方向に延びるアーム部(９)を突設するとともに、枠本体(１)に形成した枢支部(10)の外周面に蓋板(４)の上端面と当接する係止突部(11)が形成してあることを特徴とする鳥害防止器具。
【請求項２】
枠本体(１)の内部を昇降する押し板(７)の開口側端部寄りに蓋板(４)の側端縁部が
挿通する蓋板挿通溝部(13)が形成してある請求項１に記載の鳥害防止器具。
【発明の詳細な説明】
【技術分野】
【０００１】
本発明は、電線に取り付けることにより、鳥の飛来や営巣を防ぐ鳥防止器具に関するものである。
【背景技術】
【０００２】
架空電線に鳥類が飛来すると、電気設備の事故や排泄物による公害の原因となるため、架空電線への鳥類の飛来を防止すべく、従来から、架空電線に各種鳥害防止器具が取り付けられている。
【０００３】
このような鳥害防止器具として、従来、電柱間に架設された電線の両端側に取り付けられる一対の固定支持具と、この固定支持具間で電線の上方に離隔した状態で架け渡される線条体と、この線条体及び電線に沿って指定の間隔を空けて取り付けられる一つまたは複数の自由支持具とで構成したものが提案されている(特許文献１)。
【０００４】
ところが、前述の鳥害防止器具では、固定支持具と自由支持具とがそれぞれ独立部品として構成されていることから、高所作業になる架空電線への設置作業時に高所作業車のバケットに乗り込んだ作業者が固定支持具と自由支持具とに係合した線条体を引き延ばすようにして自由支持具及び遊端側の固定支持具を電線に固定していかなければならず、作業性に欠けるきらいがあった。
【０００５】
そこで、線条体を留付保持した複数の支持具を離脱容易な状態に連結させて一組とし、両端に位置する支持具を電線に固定可能にするとともに、各支持具の連結部分に線条体の収容部を形成して、線条体の展開を容易にできるようにしたものも提案されている(特許文献２)。
【先行技術文献】
【特許文献】
【０００６】
【特許文献１】特許第４６６９２７７号公報
【特許文献２】特開２０１７−３８４８８号公報
【発明の概要】
【発明が解決しようとする課題】
【０００７】
この先に提案されている支持具は、いずれも略Ｃ型の枠本体の開口部を覆う蓋板とを有し、この蓋板を枠本体の上壁あるいは下壁の開口端縁部分に揺動可能に枢支して構成してあり、電線に装着する際に作業者が高所作業車のバケットに乗り込んで、電線への固定作業に加えて、蓋板を操作棒等で個々に開閉操作しなければならず、作業性に欠けるという問題点は残していた。
【０００８】
本発明は、このような点に鑑み提案されたもので、高所での作業時に蓋板の開閉操作を行うことなく容易に電線に装着でき、電線への設置作業を簡略化できる鳥害防止器具を提供することにある。
【課題を解決するための手段】
【０００９】
上述の課題を解決するために、請求項１に記載の発明は、電柱間に架設された電線の上側に線条体を離隔した状態で保持するようにした鳥害防止器具であって、
電線に固定支持する略Ｃ型枠からなる枠本体と、この枠本体の開口部を閉止可能な蓋板と、枠本体の上壁から上方に起立突出させた線条体係合部と、枠本体の底壁を螺合貫通しているねじ体の先端に装着され、枠本体の内部を昇降移動可能で、枠本体の上壁内面との間に電線を挟持して枠本体を電線に保持する押し板とで構成した電線固定機構を有しており、枠本体の上壁開口端部に揺動可能に枢支した蓋板の上端部に枠本体の奥部に延びるアーム部を突設するとともに、枠本体に形成した枢支部の外周面に蓋板の上端面と接当する係止突部が形成してあることを特徴としている。
【００１０】
請求項２に記載の発明は、請求項１に記載した構成に加えて、枠本体の内部を昇降する押し板の蓋板側端部寄りに蓋板挿通溝部が形成してあることを特徴としている。
【発明の効果】
【００１１】
本発明に係る鳥害防止器具は、枠本体となる略Ｃ型枠を基本形態とする枠本体とこの枠本体の開口部を開閉する蓋板とで構成されており、枠本体の内部を昇降移動する押し板で電線を枠本体の上面壁内面との間に挟持することで枠本体を一定の姿勢で電線に保持可能に構成し、枠本体の開口部を開閉する蓋板を枠本体の上端部に開閉揺動可能に枢支し、この蓋板の上端部に枠本体の奥部に延びるアーム部を形成するとともに、枠本体の枢支部の外周面に蓋板の上端面と接当する係止突部が形成してあることから、本発明にかかる鳥害防止具を電線に装着する際には、蓋板を開放姿勢に保持した状態で枠本体の開口部に電線を挿入すると、電線がアーム部に当接して蓋板の保持状態を解消し、蓋板が下降揺動して固定支持部の開口部を閉止する。その姿勢で押し板を上昇させることで押し板と固定支持部の上壁内面との間に電線を挟持して枠本体を電線に確りと保持することが出来る。この時、作業者は蓋板の開閉操作を行わなくてもよく、大きく開口している開口部を電線に引っ掛けるようにするだけであるから、高所作業となる鳥害防止器具の電線へのセットが格段に楽になり、作業効率の向上を期待できる。
【００１２】
また、枠本体の内部を昇降する押し板の蓋板側端部寄りに蓋板挿通溝部が形成した場合には、絶縁ヤットコ等の活線工具を使用しての固定支持具の電線への取付固定操作に伴って、押し板に形成した蓋板挿通溝部に蓋板の側端縁部が嵌込んで昇降することから、蓋板の揺動が抑止され、鳥害防止器具を電線に確りと固定することができる。
【図面の簡単な説明】
【００１３】
【図１】本発明に係る鳥害防止器具の使用状態を示す概略図である。
【図２】本発明に係る鳥害防止器具を連結した状態での正面図である。
【図３】本発明に係る鳥害防止器具の枠本体を示す全体斜視図である。
【図４】本発明に係る鳥害防止器具の蓋板を跳ね上げた姿勢での枠本体を示す全体斜視図である。
【発明を実施するための形態】
【００１４】
図１は、本発明に係る鳥害防止器具(Ｂ)を電柱(Ｐ)間に架設した電線(Ｗ)に装着した状態での概略図である。この鳥害防止器具は(Ｂ)は、電線(Ｗ)に取り付け固定される一対の固定支持具(Ｆ)(Ｆ)とこの固定支持具(Ｆ)(Ｆ)の間で電線(Ｗ)に対して揺動自在に配置される自由支持具(Ｓ)とで構成されている。これら固定支持具(Ｆ)と自由支持具(Ｓ)とは電線(Ｗ)の上側に離隔して架け渡されている線条体(Ｌ)で接続されている。
【００１５】
固定支持具(Ｆ)及び自由支持具(Ｓ)は同一構造で形成してあり、略Ｃ型の枠体からなる枠本体(１)と、この枠本体(１)の上壁(２)から上方に起立突出させた線条体係合部(３)と、枠本体(１)内に電線(Ｗ)を挟持固定する電線固定機構(Ｃ)及び枠本体(１)の開口部を閉塞可能な蓋板(４)とで構成してある。
【００１６】
この電線固定機構(Ｃ)は、枠本体(１)の底壁(５)を貫通螺合しているねじ体(６)と、このねじ体(６)の先端部に装着され、枠本体(１)の内部を昇降移動する押し板(７)とで構成してあり、この押し板(７)は枠本体(１)の底壁側に降下している非保持姿勢と、ねじ体(５)の回転作動に伴って押し板(７)が上昇移動することで枠本体(１)に挿入した電線(Ｗ)を枠本体(１)の上壁内面に押し付ける保持姿勢とに切り替え可能になっている。  そして押し板(７)の上昇量を加減して、電線(Ｗ)を枠本体(１)の上壁内面に強く当接させないようにすると、枠本体(１)が電線(Ｗ)に固定されることがなくなるので揺動可能な自由支持具(Ｓ)となる。
【００１７】
枠本体(１)の開口部を閉塞可能な蓋板(４)は、枠本体(１)の上壁(２)の開口端部にその上端部が揺動可能に枢支されており、蓋板(４)の蓋板部(４ａ)の側端面(４ｂ)での上部から枠空間の奥部方向に向かって、アーム部(９)が延出してあり、蓋板部(４ａ)を跳ね上げた際に、アーム部(９)が枠空間部分に位置できるように構成してある。
【００１８】
また、枠本体(１)での蓋板枢支部(10)の外周面に蓋板(４)の上端面と接当する係止突部(11)が突設してあり、蓋板(４)の上端面がこの係止突部(11)を乗り越えることで、枠本体(１)の開口部を開放する姿勢に蓋板(４)を維持できるようにしてある。
【００１９】
前記したように、押し板(７)は、枠本体(１)の底壁(５)を貫通螺合しているねじ体(６)の上端部分に相対回転自在な状態で組付けられるとともに、固定枠本体(１)の立ち上がり壁(12)の側端縁を抱き込むように形成してあり、ねじ体(６)の回転操作に伴ってねじ体(６)が枠本体(１)の底壁に対して出退作動することで、押し板(７)は回転することなく枠本体(１)内を上下方向に平行移動するようにしてある。また、この押し板(７)の開口側端部に蓋板(４)の側端縁部が挿通する蓋板挿通溝(13)が形成してある。蓋板(４)の側端縁部は、押し板(７)が下降側の一定範囲では蓋板(４)の蓋板挿通溝(13)と嵌り合わないように形成してありその状態では蓋板(４)は揺動可能であるが、押し板(７)が枠本体(１)の底壁(５)から一定高さ離隔すると、蓋板挿通溝(13)と蓋板(４)の側端縁部とは嵌り合い、蓋板(４)の揺動、すなわち蓋板(４)の開閉が抑制されるように構成してある。
【００２０】
また、枠本体(１)の底壁(５)の一側面から二股フォーク状連結片(17)が連出形成してある。この連結片(17)に形成したねじ体(６)を跨ぐＵ字溝(18)を併置した鳥害防止器具(Ｂ)での枠本体(１)の底壁(５)部分と押し板(７)との間に挿入して、ねじ体(６)を下降側に作動させることで、連結片(17)を押し板(７)の下面と枠本体の底壁(５)の上面との間に挟持させることで隣り合う鳥害防止器具(Ｂ)同士を連結するようにしてある。
【００２１】
線条体(Ｌ)は、対候性に優れたテグスで構成してある。この線条体(Ｌ)は一定の長さ（例えば、４ｍ）ごとに巻回接着してコイル状に保形してある。また、枠本体(１)の上壁(２)から上方に起立突出させた線条体係合部(３)は、それぞれ線条体(Ｌ)を通過させる線条体通過部(14)と線条体(Ｌ)を係着させる２個所の線条体係着部(15)(16)を有している。なお、このコイル状に保形するための接着は、線条体(Ｌ)を展伸させることで、コイルが解ける程度の接着力に設定してある。
【００２２】
上述の構成からなる鳥害防止器具(Ｂ)は、図２に示すように枠本体(１)の底壁(５)の一側面から連出した連結片(17)で隣り合って配置された枠本体(１)同士を離脱可能な状態で接続するようにしてある。底壁(５)の一側面から連出されている連結片(17)は、二股フォーク状に形成してあり、この二股フォーク状連結片(17)を枠本体(１)の底壁上面と押し板(７)の下面との間にねじ体(６)を跨ぐ状態で挿入するように構成してあり、ねじ体(６)を押し板降下側に作動させることで固定枠本体(１)の底壁(５)と押し板(７)の下面とで挟持して、複数の固定枠(１)を一体化するようにしてある。そして、一体化した複数の枠本体(１)の上壁(２)から上方に起立突出させた線条体係合部(３)同士間にコイル状に保形形成した線条体(Ｌ)を位置させた状態にして施工現場まで搬送される。
【００２３】
なお、二股フォーク状連結片(17)は、連出先端側となるねじ挿通溝(18)が形成されている部分が連結片の肉厚分だけ上方にずれて形成されている。このように形成することで、複数の鳥害防止器具(Ｂ)を連結した際に全体のレベルが揃うことになる。
【００２４】
この鳥害防止器具(Ｂ)を電柱(Ｐ)間に架設した電線(Ｗ)に取り付ける場合、連結片(17)を介して一体に連結された状態で施工現場に搬送されるが、固定支持具(Ｆ)となる枠本体(１)も自由支持具(Ｓ)となる枠本体(１)も同じ構造であることから、連結片(17)が押し板(７)と枠本体(１)の底壁(５)とで挟持されており、略Ｃ形に形成されている枠本体(１)の開口部に配置した蓋板(４)は自由に揺動できることになる。
【００２５】
従って、一連の鳥害防止器具(Ｂ)の蓋板(４)を開放させた状態で、鳥害防止器具(Ｂ)を絶縁ヤットコ等の活線工具を使用して一挙に電線(Ｗ)に装着することが出来る。この電線(Ｗ)への装着時に電線(Ｗ)が枠本体(１)の枠内に侵入する際にアーム部(９)に接触することで、蓋板(４)の枠本体(１)への係合が外れ、蓋板(４)で枠本体(１)の開口部が閉塞される。この状態で端部に位置する枠本体(１)のねじ体(６)を操作して、押し板(７)を上昇させる。すると、押し板(７)に形成した蓋板挿通溝(13)に蓋板(４)の側端縁部が嵌り込み、蓋板(４)の開閉揺動が抑制され、枠本体(１)の電線からの離脱が防止される。
【００２６】
そして、この端部に位置する枠本体(１)での押し板(７)の上昇動作で電線(Ｗ)を該枠本体(１)の上壁内面と押し板(７)とで挟持することになるから、該枠本体(１)は一定の姿勢に保持できることになるとともに、押し板(７)の上昇作動により、押し板(７)と枠本体(１)の底壁とで挟持されていた連結片(17)での拘束力が解除されることから、その連結片(17)で連結されていた次の枠本体(１)は電線(Ｗ)に固定された枠本体(１)から離れて電線に沿って移動できることになる。
【００２７】
中間に位置する枠本体(１)は、電線(Ｗ)に係合させた後、押し板(７)を軽く作動させて枠本体(１)の上壁内面との間に電線(Ｗ)を挟持しない姿勢まで押し上げることで、連結片(17)の固定状態を解除することで中間に位置する枠本体(１)を電線(Ｗ)に対して揺動可能に保持させることになる。
【００２８】
一連の枠本体(１)を電線(Ｗ)に装着して展開させると、すべての枠本体(１)は線状体(Ｌ)で連結されていることから、該線条体(Ｌ)が電線(Ｗ)の上側に張設されることになる。この線条体(Ｌ)がピンと張られた位置で他端に位置する枠本体(１)のねじ体(６)を操作して、押し板(７)を上昇させ、押し板(７)と枠本体(１)の天井壁内面とで電線(Ｗ)を挟持して、他方の枠本体(１)を所定位置に固定することで、両端の枠本体(１)が固定で中間の枠本体(１)が電線(Ｗ)周りに揺動可能な状態に設置されることになる。これにより、線条体(Ｌ)に鳥類が止まろうとしても自由支持具(Ｓ)となっている中間に位置している枠本体(１)が電線(Ｗ)との接触点を支点として揺動することになって、鳥は線条体(Ｌ)に止まることができない。
【００２９】
上記の実施形態では、蓋板(４)の蓋板部(４ａ)の両側端面(４ｂ)での上部から枠空間の奥部方向に向かって、アーム部(９)を延出したものについて説明したが、このアーム部(９)は蓋板(４)の一方の側面上部だけに形成してもよい。また、蓋板(４)の開口幅中間の上部に突出形成させたものでもよい。
【００３０】
また、枠本体(１)の底壁(５)から連出させた連結片(17)は、中間に段差のない平板であってもよい。
【００３１】
このように、本発明に係る鳥害防止器具(Ｂ)にあっては、電線に固定するための電線固定機構(Ｃ)を利用して、固定支持具(Ｆ)と自由支持具(Ｓ)とを確りと一体化して搬送時の取り扱いを容易にすることが出来るうえ、固定支持具(Ｆ)の電線(Ｗ)への固定作業に伴って固定支持具(Ｆ)と自由支持具(Ｓ)とを分離可能にすることが出来るから、電線(Ｗ)への鳥害防止器具(Ｂ)の設置作業を容易にすることが出来る。
【産業上の利用可能性】
【００３２】
本発明に係る鳥害防止器具は、電柱間距離が比較的短い市街地において電柱間に架設した電線に装着する鳥害防止器具として適している。
【符号の説明】
【００３３】
Ｐ…電柱、Ｗ…電線、Ｌ…線条体、Ｃ…電線固定機構、１…枠本体、４…蓋板、２…枠本体の上壁、３…線条体係合部、５…枠本体の底壁、６…ねじ体、７…押し板、９…アーム部、10…枢支部、11…係止突部、13…蓋板挿通溝部。
【図１】
2020080800.tif 000003
【図２】
2020080800.tif 000004
【図３】
2020080800.tif 000005
【図４】
2020080800.tif 000006